(57)【要約】【課題】乗員が着座可能な使用状態から切り替え操作が容易な車両用シートを提供する。【解決手段】車両用シートＳは、シート本体を車体フロアに形成された収納凹部に収納可能なシートである。車両用シートＳは、車体フロア上に設けられた支持ベース４０と、支持ベース４０上に取り付けられ、シート本体が回動可能に連結されるシート回動軸１２と、上端がシート本体に取り付けられ、下端が支持ベース４０上の脚保持部材５０に着脱可能に保持される着脱脚３０とを備えている。シート本体が使用状態と収納状態の間で移動するときに、支持ベース４０を覆うベースカバー６０が、シート本体と共に移動する着脱脚３０をガイドしている。ベースカバー６０は、脚保持部材３０を挟む周辺位置おいて支持ベース４０上にボルト締結されている。【選択図】図６
2019001464.tif 000002
【特許請求の範囲】
【請求項１】
背もたれ部となるシートバックと、該シートバックに連結され、着座部となるシートクッションと、を有するシート本体を備え、
乗員が着座可能な使用状態と、前記シート本体を前記使用状態から移動させた移動状態との間で切り替え可能な車両用シートであって、
車体フロア側に設けられる支持ベースと、
該支持ベース上に取り付けられ、前記シート本体が回動可能となるように該シート本体のシート前後方向又はシート幅方向の一端側に連結されるシート回動軸と、
上端側が前記シート本体の他端側に取り付けられ、下端側が前記支持ベース上に設けられた脚保持部材に着脱可能に保持される着脱脚と、
前記支持ベースを上方から覆い、前記シート本体が前記使用状態と前記移動状態との間で移動するときに、前記シート本体と共に移動する前記着脱脚をガイドするベースカバーと、を備え、
該ベースカバーには、前記脚保持部材の周辺に配置され、前記支持ベースに取り付け可能なカバー取り付け部が設けられていることを特徴とする車両用シート。
【請求項２】
前記移動状態とは、前記シート本体を前記車体フロアよりも低位置に移動させた収納状態であって、
前記シート回動軸は、前記シート本体がシート前後方向に回動可能となるように前記シート本体のシート後端側に連結され、
前記着脱脚は、上端部が前記シート本体のシート前端側に取り付けられていることを特徴とする請求項１に記載の車両用シート。
【請求項３】
前記カバー取り付け部は、シート幅方向において前記脚保持部材を挟むように複数設けられていることを特徴とする請求項１又は２に記載の車両用シート。
【請求項４】
前記カバー取り付け部は、シート前後方向において前記脚保持部材と重なる位置に配置されていることを特徴とする請求項１乃至３のいずれか１項に記載の車両用シート。
【請求項５】
前記支持ベース上に取り付けられ、シート前後方向において前記脚保持部材と重なる位置に配置され、前記着脱脚を前記脚保持部材に保持された状態でロック可能なロック装置を備え、
前記カバー取り付け部は、シート幅方向において前記脚保持部材と前記ロック装置との間に配置されていることを特徴とする請求項１乃至４のいずれか１項に記載の車両用シート。
【請求項６】
前記カバー取り付け部は、
前記ベースカバー表面から前記支持ベース側に向かって下方に窪む凹形状からなり、
少なくとも開口部分が、前記脚保持部材よりもシート前方に張り出していることを特徴とする請求項１乃至５のいずれか１項に記載の車両用シート。
【請求項７】
前記ベースカバーは、前記使用状態のときに、前記着脱脚の少なくとも下端側を収容する脚収容凹部を備え、
前記カバー取り付け部は、前記脚収容凹部の底側部分に配置されていることを特徴とする請求項１乃至６のいずれか１項に記載の車両用シート。
【請求項８】
前記カバー取り付け部は、
前記脚収容凹部の底部分よりも下方に窪んでいることを特徴とする請求項７に記載の車両用シート。
【請求項９】
前記支持ベースは、シート側方に配置された左右の前記シート回動軸がそれぞれ取り付けられる左右のサイドベース部と、該左右のサイドベース部を連結する第１ベース連結部と、該第１ベース連結部よりも後方の位置で前記左右のサイドベース部を連結する第２ベース連結部と、シート前後方向に延びて前記第１ベース連結部と前記第２ベース連結部とを連結し、前記脚保持部材が取り付けられる保持部材支持部と、を備え、
前記カバー取り付け部は、前記支持ベースにおいて前記保持部材支持部に取り付けられていることを特徴とする請求項７又は８に記載の車両用シート。
【請求項１０】
前記保持部材支持部は、前記支持ベース表面から前記ベースカバー側とは反対側に向かって下方に窪む凹形状からなり、
前記カバー取り付け部は、前記保持部材支持部において窪んだ部分に取り付けられていることを特徴とする請求項９に記載の車両用シート。
【請求項１１】
前記ベースカバーのうち、前記カバー取り付け部の周辺部分において前記支持ベース側の裏面には、前記支持ベース側に向かって突出する補強リブが形成されていることを特徴とする請求項７乃至１０のいずれか１項に記載の車両用シート。
【請求項１２】
前記脚収容凹部のうち、前記カバー取り付け部の周辺部分において前記支持ベース側の裏面には、前記支持ベースに当接するように突出する当接リブが形成されていることを特徴とする請求項７乃至１１のいずれか１項に記載の車両用シート。
【請求項１３】
前記当接リブは、シート幅方向において前記カバー取り付け部を挟むように複数設けられていることを特徴とする請求項１２に記載の車両用シート。
【請求項１４】
前記脚収容凹部は、前記支持ベースに当接する底壁部と、該底壁部から開口部分に向かって幅広となるように形成された側壁部と、を備え、
前記当接リブは、前記脚収容凹部において前記側壁部の傾斜面に配置されていることを特徴とする請求項１２又は１３に記載の車両用シート。
【請求項１５】
前記当接リブは、前記側壁部の傾斜面に沿って延びていることを特徴とする請求項１４に記載の車両用シート。
【請求項１６】
前記当接リブは、所定の間隔を空けて配置された少なくとも２本のリブからなることを特徴とする請求項１２乃至１５のいずれか１項に記載の車両用シート。
【発明の詳細な説明】
【技術分野】
【０００１】
本発明は、車両用シートに係り、特に、シートバック及びシートクッションを車体フロアよりも低位置に収納可能な車両用シートに関する。
【背景技術】
【０００２】
従来、シート本体を構成するシートバック及びシートクッションを車体フロアよりも低位置に収納可能な車両用シートは既に知られており、その中には、シート本体を前倒れさせてシート前方に設けられた収納フロアに収納可能な車両用リアシートが存在する（例えば、特許文献１参照）。
【０００３】
特許文献１に記載の車両シートは、車体フロアに取り付けられ、シートバックを回動可能に支持する取り付け軸と、上端がシートクッションの前方部分を支持し、下端が収納フロアに固定された保持溝に回動可能に保持される脚部材と、からなる収納構造を備えている。
シート本体の収納操作時には、シートバックが車体フロアに対してシートクッションを収納フロアへ移動させるように回転し、脚部材がシートバックと連動して保持溝を中心として回転することで、シート本体を収納フロアに収納可能な構成となっている。
また、車両シートは、乗員が着座可能な使用状態から、脚部材を保持溝から離脱させた上で、シートクッションを上方に跳ね上げたチップアップ状態へ切り替え可能な構成となっている。
【先行技術文献】
【特許文献】
【０００４】
【特許文献１】特開２００９−６７３０９号公報
【発明の概要】
【発明が解決しようとする課題】
【０００５】
ところで、特許文献１のようなシート本体を収納可能なシートでは、外部からの衝撃から保護することや、異物の侵入を防止することを目的として、一般に、収納構造を構成する取り付け軸や保持溝等を上方から覆う樹脂製のカバーが取り付けられている。
しかしながら、このカバーを利用して使用状態から切り替え操作を容易にするような配慮はなされていなかった。
そのため、当該カバーを含む既存の構成部品を利用して、使用状態から切り替え操作が容易な車両用シートが望まれていた。
【０００６】
また、特許文献１のようなシートでは、シートクッションを支持する脚部材が、シートクッションと収納フロアとの間で連結されるために長尺な部材となっていた。
そうすると、使用状態とチップアップ状態との切り替え操作で脚部材を保持溝から着脱させるときに、脚部材の全長が長いことで、離脱した脚部材の前後方向の振れ幅が大きくなってしまい、脚部材を保持溝に再装着させる操作が困難になっていた。
そこで、使用状態から切り替え操作が容易な車両用シートが望まれていた。
【０００７】
また、特許文献１のようなシートでは、シート本体を設置する車体フロア面だけでなく、収納フロア面にも収納構造の構成部品を取り付けており、シート本体を収納するために複雑な構造となっていた。
そのため、シンプルな構造で、収納フロアに収納可能な車両用シートが望まれていた。
【０００８】
本発明は、上記の課題に鑑みてなされたものであり、本発明の目的は、使用状態から切り替え操作が容易な車両用シートを提供することにある。
また、本発明の他の目的は、シンプルな構造で収納フロアに収納可能な車両用シートを提供することにある。
【課題を解決するための手段】
【０００９】
前記課題は、本発明の車両用シートによれば、背もたれ部となるシートバックと、該シートバックに連結され、着座部となるシートクッションと、を有するシート本体を備え、乗員が着座可能な使用状態と、前記シート本体を前記使用状態から移動させた移動状態との間で切り替え可能な車両用シートであって、車体フロア側に設けられる支持ベースと、該支持ベース上に取り付けられ、前記シート本体が回動可能となるように該シート本体のシート前後方向又はシート幅方向の一端側に連結されるシート回動軸と、上端側が前記シート本体の他端側に取り付けられ、下端側が前記支持ベース上に設けられた脚保持部材に着脱可能に保持される着脱脚と、前記支持ベースを上方から覆い、前記シート本体が前記使用状態と前記移動状態との間で移動するときに、前記シート本体と共に移動する前記着脱脚をガイドするベースカバーと、を備え、該ベースカバーには、前記脚保持部材の周辺に配置され、前記支持ベースに取り付け可能なカバー取り付け部が設けられていること、により解決される。
【００１０】
上記のように、支持ベースを上方から覆うベースカバーが、シート本体が使用状態と移動状態との間で移動するときに、シート本体と共に移動する着脱脚をガイドしているため、既存の構成部品となるベースカバーを利用して、使用状態から切り替え操作が容易な車両用シートを実現できる。
そして、ベースカバーには、脚保持部材の周辺に配置され、支持ベースに取り付け可能なカバー取り付け部が設けられているため、ベースカバーの脚保持部材周辺における組み付け性が安定し、ベースカバーの着脱脚に対するガイド性が安定する。その結果、使用状態から切り替え操作が一層容易になる。
そして、脚保持部材が従来のように収納フロアではなく、車体フロア側に配置されているため、着脱脚の全長を小さくできる。着脱脚の全長が小さい分だけ、着脱脚の前後方向の振れ幅が小さくなることから、着脱脚が脚保持部材に保持され易くなる。従って、使用状態から切り替え操作が一層容易になる。
【００１１】
このとき、前記移動状態とは、前記シート本体を前記車体フロアよりも低位置に移動させた収納状態であって、前記シート回動軸は、前記シート本体がシート前後方向に回動可能となるように前記シート本体のシート後端側に連結され、前記着脱脚は、上端部が前記シート本体のシート前端側に取り付けられていると良い。
上記構成により、シート本体を使用状態と収納状態との間で移動させるときに、切り替え操作が良好になる。
そして、収納構造の構成部品を車体フロア側に全て配置するため、収納フロアに広い収納スペースを確保できる。
【００１２】
このとき、前記カバー取り付け部は、シート幅方向において前記脚保持部材を挟むように複数設けられていると良い。
また、前記カバー取り付け部は、シート前後方向において前記脚保持部材と重なる位置に配置されていると良い。
上記構成により、ベースカバーの脚保持部材周辺における組み付け性が一層安定し、ベースカバーの着脱脚に対するガイド性が安定する。
【００１３】
このとき、前記支持ベース上に取り付けられ、シート前後方向において前記脚保持部材と重なる位置に配置され、前記着脱脚を前記脚保持部材に保持された状態でロック可能なロック装置を備え、前記カバー取り付け部は、シート幅方向において前記脚保持部材と前記ロック装置との間に配置されていると良い。
上記構成により、ベースカバーのロック装置周辺における組み付け性も同時に安定する。
【００１４】
このとき、前記カバー取り付け部は、前記ベースカバー表面から前記支持ベース側に向かって下方に窪む凹形状からなり、少なくとも開口部分が、前記脚保持部材よりもシート前方に張り出していると良い。
上記構成により、カバー取り付け部の開口部分が比較的広がって形成されるため、例えば、カバー取り付け部と支持ベースにおける被取り付け部とをボルト締結するような場合に、締結作業性が向上する。
そして、カバー取り付け部が凹形状からなるため、ベースカバーの剛性が向上する。
【００１５】
このとき、前記ベースカバーは、前記使用状態のときに、前記着脱脚の少なくとも下端側を収容する脚収容凹部を備え、前記カバー取り付け部は、前記脚収容凹部の底側部分に配置されていると良い。
上記構成により、シートの切り替え操作時に、シート本体と共に移動する着脱脚がカバー取り付け部に干渉してしまうことを抑制できる。
【００１６】
このとき、前記カバー取り付け部は、前記脚収容凹部の底部分よりも下方に窪んでいると良い。
上記構成により、着脱脚がカバー取り付け部に干渉することを一層抑制できる。
そして、ベースカバーの脚収容凹部周辺の剛性が向上する。
【００１７】
このとき、前記支持ベースは、シート側方に配置された左右の前記シート回動軸がそれぞれ取り付けられる左右のサイドベース部と、該左右のサイドベース部を連結する第１ベース連結部と、該第１ベース連結部よりも後方の位置で前記左右のサイドベース部を連結する第２ベース連結部と、シート前後方向に延びて前記第１ベース連結部と前記第２ベース連結部とを連結し、前記脚保持部材が取り付けられる保持部材支持部と、を備え、前記カバー取り付け部は、前記支持ベースにおいて前記保持部材支持部に取り付けられていると良い。
上記構成により、脚保持部材が、支持ベースにおいて比較的支持剛性の高い保持部材支持部に取り付けられるため、脚保持部材及び支持脚の支持剛性が向上する。結果として、シート本体の支持剛性を向上できる。
そして、脚保持部材と、カバー取り付け部とが同一部材に取り付けられるため、着脱脚が脚保持部材に着脱可能に保持されるところ、ベースカバーの着脱脚に対するガイド性が一層向上する。
【００１８】
このとき、前記保持部材支持部は、前記支持ベース表面から前記ベースカバー側とは反対側に向かって下方に窪む凹形状からなり、前記カバー取り付け部は、前記保持部材支持部において窪んだ部分に取り付けられていると良い。
上記構成により、カバー取り付け部が支持ベースに対して位置決めされ易くなる。
そして、カバー取り付け部と保持部材支持部との連結剛性が向上する。
【００１９】
このとき、前記ベースカバーのうち、前記カバー取り付け部の周辺部分において前記支持ベース側の裏面には、前記支持ベース側に向かって突出する補強リブが形成されていると良い。
上記構成により、カバー取り付け部周辺における組み付け剛性が向上する。
【００２０】
このとき、前記脚収容凹部のうち、前記カバー取り付け部の周辺部分において前記支持ベース側の裏面には、前記支持ベースに当接するように突出する当接リブが形成されていると良い。
また、前記当接リブは、シート幅方向において前記カバー取り付け部を挟むように複数設けられていると良い。
上記構成により、組み付けられたベースカバーのガタツキ、特に脚収容凹部周辺及びカバー取り付け部周辺のガタツキが抑制される。
【００２１】
このとき、前記脚収容凹部は、前記支持ベースに当接する底壁部と、該底壁部から開口部分に向かって幅広となるように形成された側壁部と、を備え、前記当接リブは、前記脚収容凹部において前記側壁部の傾斜面に配置されていると良い。
また、前記当接リブは、前記側壁部の傾斜面に沿って延びていると良い。
上記構成により、ベースカバーの当接リブを支持ベースに嵌め込み易くなる。
【００２２】
このとき、前記当接リブは、所定の間隔を空けて配置された少なくとも２本のリブからなると良い。
上記構成により、ベースカバーのガタツキが一層抑制される。
【発明の効果】
【００２３】
請求項１の発明によれば、既存の構成部品となるベースカバーを利用して、使用状態から切り替え操作が容易な車両用シートを実現できる。
そして、ベースカバーの脚保持部材周辺における組み付け性が安定し、ベースカバーの着脱脚に対するガイド性が安定する。その結果、切り替え操作が一層容易になる。
そして、脚保持部材が従来のように収納フロアではなく、車体フロア側に配置されているため、着脱脚の全長を小さくできる。着脱脚の全長が小さい分だけ、着脱脚の前後方向の振れ幅が小さくなることから、着脱脚が脚保持部材に保持され易くなる。従って、切り替え操作が一層容易になる。
【００２４】
請求項２の発明によれば、シート本体を使用状態と収納状態との間で移動させるときに、切り替え操作が良好になる。そして、収納フロアに広い収納スペースを確保できる。
請求項３、４の発明によれば、ベースカバーの脚保持部材周辺における組み付け性が一層安定し、ベースカバーの着脱脚に対するガイド性が安定する。
請求項５の発明によれば、ベースカバーのロック装置周辺における組み付け性も同時に安定する。
【００２５】
請求項６の発明によれば、例えば、カバー取り付け部と支持ベースにおける被取り付け部とをボルト締結するような場合に、締結作業性が向上する。そして、カバー取り付け部が凹形状からなるため、ベースカバーの剛性が向上する。
請求項７の発明によれば、シートの切り替え操作時に、シート本体と共に移動する着脱脚がカバー取り付け部に干渉してしまうことを抑制できる。
請求項８の発明によれば、着脱脚がカバー取り付け部に干渉することを一層抑制できる。そして、ベースカバーの脚収容凹部周辺の剛性が向上する。
【００２６】
請求項９の発明によれば、脚保持部材及び支持脚の支持剛性が向上する。結果として、シート本体の支持剛性を向上できる。そして、ベースカバーの着脱脚に対するガイド性が一層向上する。
請求項１０の発明によれば、カバー取り付け部が支持ベースに対して位置決めされ易くなる。そして、カバー取り付け部と保持部材支持部との連結剛性が向上する。
請求項１１の発明によれば、カバー取り付け部周辺における組み付け剛性が向上する。
【００２７】
請求項１２、１３、１６の発明によれば、組み付けられたベースカバーのガタツキ、特に脚収容凹部周辺及びカバー取り付け部周辺のガタツキが抑制される。
請求項１４、１５の発明によれば、ベースカバーの当接リブを支持ベースに嵌め込み易くなる。
【図面の簡単な説明】
【００２８】
【図１】本実施形態に係る車両用シートの斜視図である。
【図２】車両用シートの骨格となるシートフレームの斜視図である。
【図３】車両用シートの支持ベースの斜視図である。
【図４】支持ベースを保護するベースカバーの斜視図である。
【図５】ベースカバーを裏側から見たときの斜視図である。
【図６】ベースカバー及び支持ベースを真横から見たときの縦断面図である。
【図７】車両用シートの側面図であって、使用状態から収納状態へ移動する動作を説明する図である。
【図８】車両用シートの側面図であって、収納状態へ移動する動作を説明する図である。
【図９】車両用シートの側面図であって、収納状態からチップアップ状態へ移動する動作を説明する図である。
【図１０】車両用シートの側面図であって、チップアップ状態から使用状態へ復帰する動作を説明する図である。
【発明を実施するための形態】
【００２９】
以下、本発明の実施形態に係る車両用シートについて、図１〜図１０を参照しながら説明する。
本実施形態は、シート本体を収納フロアに収納可能な車両用シートであって、シート本体が回動可能となるように連結されるシート回動軸と、上端がシート本体に取り付けられ、下端が支持ベース上の脚保持部材に着脱可能に保持される着脱脚と、を備え、シート本体が使用状態と収納状態との間で移動するときに、支持ベースを覆うベースカバーが、シート本体と共に移動する着脱脚をガイドしており、ベースカバーは、脚保持部材を挟む周辺位置おいて支持ベースにボルト締結されていることを特徴とする車両用シートの発明に関するものである。
なお、車両用シートのシートバックに対して乗員が着座する側がシート前方側となる。
【００３０】
本実施形態の車両用シートＳは、例えば車両の後部座席に相当するリアシートである。なお、車両前後方向に三列のシートを備える車両において二列目のミドルシートとしても利用可能である。
車両用シートＳは、図１に示すように、シートバック１と、シートクッション２と、ヘッドレスト３とを備えるシート本体と、車体フロア上に取り付けられ、シート本体を前後方向に移動可能に支持する左右のレール装置４と、レール装置４上に取り付けられる支持ベース４０と、シートクッション２と支持ベース４０との間に取り付けられ、シートクッション２を下方から支持する着脱脚３０と、支持ベース４０上に取り付けられ、着脱脚３０の下端を着脱可能に保持する脚保持部材５０と、支持ベース４０を上方から覆うベースカバー６０と、から主に構成されている。
また、車両用シートＳは、図２に示すように、支持ベース４０に対してシートバック１をシート回動軸１２を中心として回動可能に連結するリクライニング装置１３と、シートバック１に対してシートクッション２を回動可能に連結するクッション回動装置２５と、シートクッション２に対して着脱脚３０を回動可能に連結する脚回動装置２８と、を備えている。
車両用シートＳのシート前方側には、図７に示すように、車体フロアよりも低位置に形成された凹型の収納フロアが設けられている。
【００３１】
車両用シートＳは、乗員が着座可能な使用状態と、シート本体を収納フロアに収納させた収納状態と、シート本体を上方に跳ね上げたチップアップ状態との３種類の形態のシートアレンジが可能なシートである。
具体的には、車両用シートＳは、図７（ａ）に示す使用状態から、乗員が不図示の操作ストラップを引っ張ると、シート本体が前倒れして折り畳まれ、収納フロアに収納された図８（ｃ）に示す収納状態に切り替わる。また、収納状態から、乗員が手動でシート本体を上方に起こすことで図９（ｂ）に示すチップアップ状態に切り替わる。さらに、チップアップ状態から、乗員が操作レバーとして機能する着脱脚３０を引っ張ると、シートバック１に対してシートクッション２がシート下方に回転し、図１０（ｂ）に示す使用状態に復帰する。詳細は後述する。
【００３２】
シートバック１は、図１に示すように、乗員の背中を後方から支持する背もたれ部であって、骨格となる図２に示すバックフレーム１０に、クッションパッド１ａを載置して、表皮１ｂで被覆されて構成されている。
シートクッション２は、乗員を下方から支持する着座部であって、骨格となる図２に示すクッションフレーム２０に、クッションパッド２ａを載置して、クッションパッド２ａの上から表皮２ｂによって被覆されて構成されている。
ヘッドレスト３は、乗員の頭を後方から支持する頭部であって、芯材となる不図示のピラーにクッションパッド３ａを載置して表皮３ｂで被覆されて構成されている。
【００３３】
レール装置４は、上下方向においてシート本体と車体フロアとの間に配設されており、図２に示すように、車体フロアに固定され、シート前後方向に延びる左右のロアレール４ａと、ロアレール４ａに沿って摺動可能に支持される左右のアッパレール４ｂと、から構成されている。
左右のアッパレール４ｂの上面には、支持ベース４０が架設されている。
【００３４】
バックフレーム１０は、シートバック１の骨格となる略矩形状の枠状体からなり、図２に示すように、バックフレーム１０の左右外側面であって下方部分には、支持ベース４０と連結するための左右の連結ブラケット１１が取り付けられている。
連結ブラケット１１は、上下方向に延出する略弓形状の板金部材からなり、連結ブラケット１１の上端がバックフレーム１０に取り付けられ、その下端が支持ベース４０に取り付けられている。
左側の連結ブラケット１１の下端には、左右方向において支持ベース４０に軸支されたシート回動軸１２が設けられ、右側の連結ブラケット１１の下端部には、支持ベース４０に対してバックフレーム１０を回動可能に連結するリクライニング装置１３が取り付けられている。
【００３５】
リクライニング装置１３は、公知の装置からなり、図２に示すように、連結ブラケット１１の左右内側面に配置されており、左右方向においてクッションフレーム２０との干渉を抑制している。
リクライニング装置１３は、シート回動軸１２と、バックフレーム１０をシート回動軸１２を中心として前方側に回転させて収納状態に付勢する渦巻きバネ１４と、から主に構成されている。
シート回動軸１２は、左右方向においてバックフレーム１０側と支持ベース４０側とに軸支され、渦巻きバネ１４は、その一端がバックフレーム１０側に係止され、他端が支持ベース４０側に係止されている。
リクライニング装置１３は、バックフレーム１０の回動動作をロックするロック状態に切り替え可能であって、バックフレーム１０を図１の起立姿勢にロックし、不図示の操作ストラップが操作されることでロック状態を解除し、渦巻きバネ１４の付勢力によってバックフレーム１０を前方側に回転させて車体フロア側に折り畳むことができる。
【００３６】
クッションフレーム２０は、シートクッション２の骨格となる略矩形状の枠状体からなり、図２に示すように、左右側方に配置された左右のサイドフレーム２１と、各サイドフレーム２１の前方部分を連結する前方連結パイプ２２と、各サイドフレームの前後方向の略中央部分を連結する中央連結パイプ２３と、前方連結パイプ２２と中央連結パイプ２３を連結する板状フレームとしてのパンフレーム２４と、から主に構成されている。
【００３７】
サイドフレーム２１は、シート前後方向に延出する板金部材からなり、その前方部分が前方連結パイプ２２と連結され、その後方部分には、バックフレーム１０に対してクッションフレーム２０を回動可能に連結するクッション回動装置２５が取り付けられている。
また、前方連結パイプ２２は、略コ字形状のパイプ部材からなり、その左右内側面には、クッションフレーム２０に対して着脱脚３０を回動可能に連結する脚回動装置２８が取り付けられている。
【００３８】
クッション回動装置２５は、公知の装置からなり、図２に示すように、クッション回動軸２６と、クッションフレーム２０をクッション回動軸２６を中心として下方側に付勢する渦巻きバネ２７と、を備えている。
クッション回動軸２６は、左右方向においてバックフレーム１０側とクッションフレーム２０側とに軸支され、渦巻きバネ２７は、その一端がバックフレーム１０側に係止され、他端がクッションフレーム２０側に係止されている。
クッション回動装置２５は、クッションフレーム２０の回動動作をロックするロック状態に切り替え可能である。
クッション回動装置２５は、図８（ｃ）に示すように、シート本体を収納フロアに収納させたときに、具体的には、バックフレーム１０をクッションフレーム２０側に折り畳んだ状態のときに、クッションフレーム２０の回動動作をロックする。そして、図１０（ａ）に示すように、操作レバーとして機能する着脱脚３０が引っ張られるとロック状態を解除し、渦巻きバネ２７の付勢力によってバックフレーム１０に対してクッションフレーム２０を下方側に回転させることができる。
【００３９】
脚回動装置２８は、脚回動軸２８ａと、着脱脚３０を脚回動軸２８ａを中心としてクッションフレーム２０とは逆側に、言い換えれば、クッションフレーム２０から離れる方向に付勢するバネ部材２８ｂと、を備えている。
脚回動軸２８ａは、左右方向において前方連結パイプ２２と、着脱脚３０の上端部とに軸支され、バネ部材２８ｂは、その一端がクッションフレーム２０側に係止され、他端が着脱脚３０側に係止されている。
脚回動装置２８は、着脱脚３０の回動動作をロックするロック状態に切り替え可能であって、図８（ａ）に示すように、着脱脚３０が脚保持部材５０から離脱し、クッションフレーム２０側に収納されたときに、着脱脚３０の回動動作をロックする。そして、図１０（ａ）に示すように、ロックされた着脱脚３０が引っ張られるとロック状態を解除し、バネ部材２８ｂの付勢力によって、使用状態に復帰させるように着脱脚３０を脚保持部材５０に装着可能な位置に移動させることができる。
【００４０】
着脱脚３０は、図２に示すように、シートクッション２を支持する略コ字形状のパイプ部材であり、左右側方に配置された脚本体部３１と、各脚本体部３１の下端を連結する脚連結部３２と、を備えている。
脚本体部３１の上端は、クッションフレーム２０の前後方向の略中央部分において左右内側面に連結されており、脚連結部３２の左右方向の略中央部は、脚保持部材５０に着脱可能に保持されている。
着脱脚３０の上端部は、着脱脚３０の下端部よりもシート前方に張り出しており、着脱脚３０の下端部から着脱脚３０の上端部に向かって前方に上方傾斜している。
【００４１】
支持ベース４０は、シート本体を支持する部材であり、図３に示すように、左右側方にアッパレール４ｂに沿って配置された左右のサイドベース部４１と、各サイドベース部４１の前方部分を連結する第１ベース連結部４２と、各サイドベース部４１の略中央部分を連結する第２ベース連結部４３と、各サイドベース部４１の上面に取り付けられる左右の補強ベース部４４と、第１ベース連結部４２及び第２ベース連結部４３を連結し、脚保持部材５０を支持する保持部材支持部４５と、を備えている。
【００４２】
サイドベース部４１は、前後方向に長尺な略クランク形状の板金部材からなり、図３に示すように、アッパレール４ｂ上面に連結された支持壁部４１ａと、支持壁部４１ａの左右内側端部から下方へ屈曲された内側壁部４１ｂと、支持壁部４１ａの左右外側端部から上方へ屈曲された外側壁部４１ｃと、から構成されている。
第１ベース連結部４２及び第２ベース連結部４３は、図３に示すように、左右方向に延在する略円形状のパイプ部材からなり、前後方向に所定の距離を空けて配置されている。
【００４３】
補強ベース部４４は、図３に示すように、前後方向に長尺な略クランク形状の板金部材からなり、サイドベース部４１上面に連結された連結壁部４４ａと、連結壁部４４ａの左右内側端部から下方へ屈曲された内側壁部４４ｂと、連結壁部４４ａの左右外側端部から上方へ屈曲された外側壁部４４ｃと、から構成されている。
第１ベース連結部４２及び第２ベース連結部４３それぞれの左右両端部は、図３に示すように、サイドベース部４１と補強ベース部４４とで挟まれて連結されている。
補強ベース部４４は、サイドベース部４１と上下で重なり合って閉断面構造を形成しており、支持ベース４０が最中形状となっている。
【００４４】
保持部材支持部４５は、図３、図６に示すように、脚保持部材５０を支持する湾曲形状の板金部材であり、シート前後方向に延びてその略中央部分には、着脱脚３０側とは反対の車体フロア側に向かって下方に窪む凹形状の折り曲げ部４５ａが形成されている。
保持部材支持部４５の前方部分は、第１ベース連結部４２に取り付けられ、保持部材支持部４５の後方部分は、第２ベース連結部４３に取り付けられている。
折り曲げ部４５ａの上面には、図３に示すように、脚保持部材５０が取り付けられている。また図６に示すように、左右方向において脚保持部材５０を挟む位置において、ベースカバー６０に設けられたカバー取り付け部６５がボルト締結されている。
【００４５】
脚保持部材５０は、図３、図６に示すように、着脱脚３０を着脱可能に保持する略Ｕ字形状のクリップ部材からなり、一対の側壁部５１と、各側壁部５１の下端部を連結する底壁部５２と、から構成されている。
各側壁部５１は、その下端部から上端部に向かって互いに近接する方向に折り曲げられており、言い換えれば、脚保持部材５０の開口部分を狭めるように開口部内側方向に折り曲げられており、その上端部には、開口部外側方向に反り曲げられたカール部５３が形成されている。
【００４６】
底壁部５２は、湾曲形状からなり、保持部材支持部４５の折り曲げ部４５ａに沿わせて取り付けられている。
底壁部５２は、図６に示すように、その一部を切り起こした切り起こし部５２ａを備え、切り起こし部５２ａが、折り曲げ部４５ａに貫通して形成された不図示の掛け止め穴に掛け止めされてボルト締結されている。
一対のカール部５３は、ベースカバー６０に設けられた開口部を各々貫通し、着脱脚３０側の外部に露出している。
【００４７】
脚保持部材５０は、図３、図６に示すように、水平面に対して所定の傾斜角度で前傾させた位置で保持部材支持部４５に支持されている。言い換えれば、脚保持部材５０は、その開口部分を前方斜め上方に向けた位置で、保持部材支持部４５に支持されている。
脚保持部材５０に隣接した部分には、車両の後面衝突時に着脱脚３０の脚連結部３２を脚保持部材５０に保持させた状態でロックする慣性ロック装置５４が配置される。
慣性ロック装置５４は、公知の装置からなり、支持ベース４０に取り付けられており、前後方向において第１ベース連結部４２と第２ベース連結部４３の間に配置され、また、前後方向において脚保持部材５０と重なる位置に配置されている。
【００４８】
ベースカバー６０は、支持ベース４０全体を上方から覆う樹脂成形品からなり、図１に示すように、シート前方側に配置される前方カバー６１と、前方カバー６１の後方に配置される後方カバー６８と、から構成されている。前方カバー６１と後方カバー６８とはスナップフィット結合されている。
【００４９】
前方カバー６１は、図１、図４に示すように、シート本体と共に移動する着脱脚３０をガイドするガイド形状を備えている。
具体的には、前方カバー６１は、着脱脚３０を収容する脚収容凹部６２と、脚収容凹部６２よりもシート後方に配置され、着脱脚３０が脚収容凹部６２よりも後方に移動することを規制する脚移動規制部６３と、脚収容凹部６２よりもシート前方に配置され、シートクッション２の一部と当接可能な一対のベース当接部６４と、を備えている。
また前方カバー６１には、その脚収容凹部６２の底部分に配置され、支持ベース４０にボルト締結可能なカバー取り付け部６５が形成されている。
【００５０】
脚収容凹部６２は、ベースカバー６０上面の略中央部分から下方側に向かって窪んだ略Ｕ字形状の凹部からなり、左右方向に延びて形成されている。
脚収容凹部６２は、一対の前後側壁部６２ａと、一対の左右側壁部６２ｂと、これら側壁部の下端部を連結する底壁部６２ｃと、から構成されており、その開口部分を前方斜め上方に向けた位置で配置されている。
一対の前後側壁部６２ａ、一対の左右側壁部６２ｂは、それぞれ底壁部６２ｃから開口部分に向かって幅広となるように形成されて傾斜面を有している。
【００５１】
脚収容凹部６２のうち、一対の前後側壁部６２ａの左右方向の中央部分には、図４に示すように、略四角形状の開口部がそれぞれ形成されており、ベースカバー６０裏面側から脚保持部材５０の一部が、図６に示すように、当該開口部を介して外部に露出する。
また、後方の前後側壁部６２ａ及び底壁部６２ｃの連続した部分には、図４に示すように、上下方向に長尺な開口部が形成されており、ベースカバー６０裏面側から慣性ロック装置５４の一部が開口部を介して外部に露出している。
さらに、前方の前後側壁部６２ａ及び底壁部６２ｃの連続した部分には、ベースカバー６０表面から支持ベース４０側に向かって下方に窪む凹形状のカバー取り付け部６５が形成されている。
【００５２】
脚移動規制部６３は、図４に示すように、ベースカバー６０上面の略中央部分からシート前方側に向かって張り出した部分からなり、脚収容凹部６２の後方部分から連続して形成され、シート左右方向に延びて設けられている。
脚移動規制部６３の上端は、ベースカバー６０上面よりもやや上方に突出している。
そのため、脚移動規制部６３は、着脱脚３０を脚収容凹部６２に収容するときに、着脱脚３０の後方移動を規制し、着脱脚３０を脚収容凹部６２側にガイドできる。
【００５３】
カバー取り付け部６５は、図４、図６に示すように、ベースカバー６０上面から下方側に窪んだ略円形状の凹部からなり、シート幅方向に間隔を空けて一対に形成され、保持部材支持部４５に当接した状態でボルト締結されている。
詳しく言うと、カバー取り付け部６５の下端部分は、保持部材支持部４５において下方に窪んだ折り曲げ部４５ａに取り付けられている。
【００５４】
各カバー取り付け部６５は、シート前後方向において脚保持部材５０と重なる位置に配置され、少なくとも開口部分が、脚保持部材５０よりもシート前方に張り出している。
また、各カバー取り付け部６５は、シート幅方向において脚保持部材５０を挟む位置に配置され、かつ、右側のカバー取り付け部６５は、脚保持部材５０と慣性ロック装置５４との間に配置されている。
【００５５】
上記ベースカバー６０において、脚収容凹部６２、脚移動規制部６３、及びカバー取り付け部６５それぞれの裏面には、図５に示すように、所定形状の補強リブ６６が形成されている。そのため、ベースカバー６０のうち、他の構成部品と接触する裏側部分において支持剛性が向上した形状となっている。
【００５６】
また上記ベースカバー６０において、脚収容凹部６２の裏面には、図５に示すように、カバー取り付け部６５をシート幅方向に挟むようにして一対の当接リブ６７が形成されている。
当接リブ６７は、脚収容凹部６２のうち、左右側壁部６２ｂの傾斜面に沿って延びており、支持ベース４０に当接するように突出している。
そのため、ベースカバー６０を支持ベース４０に嵌め込み易くなる。
【００５７】
＜シート収納動作＞
次に、図７、図８に基づいてシート本体を使用状態から収納状態へ移動させる動作を説明する。なお、図７、図８において、リクライニング装置１３、クッション回動装置２５、及び脚回動装置２８は、黒丸で図示されるときにロック状態を示し、白丸で図示されるときにロック解除状態を示すものとする。図９、図１０も同様である。
【００５８】
車両用シートＳが図７（ａ）に示す使用状態にあるとき、シートバック１は、支持ベース４０に支持され、リクライニング装置１３によって起立姿勢にロックされており、シートバック１に連結されたシートクッション２は、脚保持部材５０に保持された着脱脚３０によって下方から支持されている。
【００５９】
車両用シートＳを使用状態から収納状態へ移動させるときには、例えば、シートバック１上面に設けられた不図示の操作ストラップを操作する。
乗員が操作ストラップを操作することで、図７（ｂ）に示すように、リクライニング装置１３のロック状態が解除され、シートバック１は、渦巻きバネ１４の付勢力によって、シートクッション２を収納フロアまで移動させるようにシート回動軸１２を中心としてシート前方側に回転を開始する。
着脱脚３０は、シートバック１の回転に連動して、シートクッション２に対して脚回動軸２８ａを中心としてシートクッション２側に回転を開始する。このとき、着脱脚３０は、シートクッション２と車体フロア側との間で突っ張った状態となるため、シートクッション２及びシートバック１を安定して移動させることができる。
なお、操作ストラップとリクライニング装置１３との間には、不図示の公知なケーブルが連結されており、操作ストラップの操作によってケーブルが牽引され、ロック状態を解除する機構となっている。
【００６０】
シートバック１が、図８（ａ）に示すように、所定の回転位置に到達したときに、着脱脚３０が脚保持部材５０から離脱する。
離脱した着脱脚３０は、ベースカバー６０上面を乗り上げることで、バネ部材２８ｂの付勢力に抗して脚回動軸２８ａを中心としてシートクッション２側に折り畳まれるように回転する。そして、着脱脚３０は、所定の回転位置に到達したときに、脚回動装置２８によってシートクッション２側に収納された状態でロックされる。
【００６１】
さらに、シートバック１が、図８（ｂ）に示すように、所定の回転位置に到達したときに、シートクッション２の前方部分が、着脱脚３０よりも先に収納フロア面に当接する。
なお、シートクッション２の前方部分には、収納フロア面に対して摺動可能な不図示の摺動部材が取り付けられており、シートクッション２はシート前方側に向かって収納フロア面を安定して摺動できる。
【００６２】
上記一連の動作によって、図８（ｃ）に示すように、シート本体が収納フロアに収納され、車両用シートＳが収納状態に切り替わる。
シートクッション２は、収納状態のときに、具体的にはシートバック１がシートクッション２側に折り畳まれた状態のときに、クッション回動装置２５によってロックされる。
着脱脚３０は、収納状態のときに脚保持部材５０よりも下方位置に配置される。
【００６３】
＜シートチップアップ動作＞
次に、図９に基づいてシート本体を収納状態からチップアップ状態へ移動させる動作を説明する。
車両用シートＳが図９（ａ）に示す収納状態にあるときに、例えば、乗員が手動でシート本体を上方に起こすことで図９（ｂ）に示すチップアップ状態に切り替わる。
このとき、クッション回動装置２５がシートクッション２の回動動作をロックしているため、シートバック１を上方に起こすことでシートクッション２も一体的に上方に起こすことができる。
なお、チップアップ状態のときに、アッパレール４ｂをロアレール４ａに対してシート後方側に摺動させることによって、シート前方側に一層広い荷室スペースを確保できる。
【００６４】
車両用シートＳが図９（ｂ）に示すチップアップ状態に切り替わったとき、シートバック１は、使用状態の位置と同じ位置に復帰し、リクライニング装置１３によって起立姿勢でロックされることになる。
【００６５】
＜シート復帰動作＞
次に、図１０に基づいてシート本体をチップアップ状態から使用状態へ移動させる動作を説明する。
車両用シートＳをチップアップ状態から使用状態へ移動させるときには、図１０（ａ）に示すように、例えば操作レバーとして機能する着脱脚３０を操作する。
乗員が着脱脚３０を脚回動軸２８ａを中心として上方回転させるように、言い換えれば、シートクッション２側から離れる方向に引っ張ることで、クッション回動装置２５及び脚回動装置２８のロック状態が解除される。
なお、着脱脚３０と、クッション回動装置２５との間には、不図示の公知なケーブルが連結されており、着脱脚３０の操作によってケーブルが引っ張られ、ロック状態を解除する構成となっている。
【００６６】
シートクッション２は、クッション回動装置２５の解除に伴い、図１０（ｂ）に示すように、渦巻きバネ２７の付勢力によって、シートバック１に対して下方側に回転する。
着脱脚３０は、脚回動装置２８の解除に伴い、バネ部材２８ｂの付勢力によって、脚保持部材５０に装着可能な位置まで脚回動軸２８ａを中心として回転し、脚保持部材５０に装着される。
このとき、着脱脚３０は、ベースカバー６０のうち、脚収容凹部６２及び脚移動規制部６３にガイドされることよって、脚収容凹部６２の下端側に取り付けられた脚保持部材５０に向かって移動するようになる。
上記一連の動作により、車両用シートＳが図１０（ｂ）に示す使用状態に復帰する。
【００６７】
＜その他の実施形態＞
上記実施形態において、車両用シートＳのシート前方に収納フロアが形成されているが、特に限定されることなく、車両用シートＳの後方に収納フロアが形成されていても良い。
その場合、シート回動軸１２と着脱脚３０とのシート前後方向の位置関係が逆の配置になることが望ましい。
【００６８】
上記実施形態において、シート本体の収納状態が、特許請求の範囲の移動状態に相当するものとして説明されたが、特に限定されず、本実施形態のチップアップ状態等が移動状態に相当するものとしても勿論良い。
【００６９】
上記実施形態において、図７に示すように、着脱脚３０は、使用状態から収納状態へ切り替わるときに、シートクッション２に対して脚回動軸２８ａを中心としてシート後方側に回転し、シートクッション２側に収容される構成となっているが、特に限定されることなく、着脱脚３０が、脚回動軸２８ａを中心としてシート前方側に回転し、シートクッション２側に収容される構成としても良い。
このとき、着脱脚３０の上端部は、着脱脚３０の下端部よりもシート後方に配置され、着脱脚３０下端部側から着脱脚３０上端部側に向かって後方に上方傾斜していると良く、シートクッション２側に収容回転し易くなる。
【００７０】
上記実施形態において、図２に示すように、支持ベース４０は、レール装置４を介して車体フロアに固定されているが、特に限定されることなく、レール装置４を不要として直接車体フロアに固定される等、適宜変更しても良い。
また、連結ブラケット１１を不要として、直接シートバック１と支持ベース４０とをシート回動軸１２を介して連結させても良い。
【００７１】
上記実施形態において、図４に示すように、カバー取り付け部６５は、ベースカバー６０上面から下方側に窪んだ凹形状からなり、支持ベース４０側に当接した状態でボルト締結されているが、特に限定されることなく、支持ベース４０側に取り付け可能な形状を有していれば適宜変更可能である。
また、カバー取り付け部６５は、脚保持部材５０の周辺部分に配置されていれば、シート前後方向及びシート幅方向の位置関係は適宜変更可能であって良い。
【００７２】
上記実施形態では、具体例として自動車に用いられる収納可能な車両用シートについて説明したが、これに限定されることなく、電車、バス等の車両用シートのほか、飛行機、船等の乗物用シートとしても利用することができる。
【００７３】
本実施形態では、主として本発明に係る車両用シートＳに関して説明した。
ただし、上記の実施形態は、本発明の理解を容易にするための一例に過ぎず、本発明を限定するものではない。本発明は、その趣旨を逸脱することなく、変更、改良され得ると共に、本発明にはその等価物が含まれることは勿論である。
特に、支持ベース４０及びベースカバー６０の形状、配置、及び構成について、上記の実施形態にて説明したものは、あくまで一例に過ぎず、本発明を限定するものではない。
【符号の説明】
【００７４】
Ｓ  車両用シート
１  シートバック
１ａ、２ａ、３ａ  クッションパッド
１ｂ、２ｂ、３ｂ  表皮
２  シートクッション
３  ヘッドレスト
４  レール装置
４ａ  ロアレール
４ｂ  アッパレール
１０  バックフレーム
１１  連結ブラケット
１２  シート回動軸
１３  リクライニング装置
１４  渦巻きバネ
２０  クッションフレーム
２１  サイドフレーム
２２  前方連結パイプ
２３  中央連結パイプ
２４  パンフレーム
２５  クッション回動装置
２６  クッション回動軸
２７  渦巻きバネ
２８  脚回動装置
２８ａ  脚回動軸
２８ｂ  バネ部材
３０  着脱脚
３１  脚本体部
３２  脚連結部
４０  支持ベース
４１  サイドベース部
４１ａ  支持壁部
４１ｂ  内側壁部
４１ｃ  外側壁部
４２  第１ベース連結部
４３  第２ベース連結部
４４  補強ベース部
４４ａ  連結壁部
４４ｂ  内側壁部
４４ｃ  外側壁部
４５  保持部材支持部
４５ａ  折り曲げ部
５０  脚保持部材
５１  側壁部
５２  底壁部
５２ａ  切り起こし部
５３  カール部
５４  慣性ロック装置
６０  ベースカバー
６１  前方カバー
６２  脚収容凹部
６２ａ  前後側壁部
６２ｂ  左右側壁部
６２ｃ  底壁部
６３  脚移動規制部
６４  ベース当接部
６５  カバー取り付け部
６６  補強リブ
６７  当接リブ
６８  後方カバー
【図１】
2019001464.tif 000003
【図２】
2019001464.tif 000004
【図３】
2019001464.tif 000005
【図４】
2019001464.tif 000006
【図５】
2019001464.tif 000007
【図６】
2019001464.tif 000008
【図７】
2019001464.tif 000009
【図８】
2019001464.tif 000010
【図９】
2019001464.tif 000011
【図１０】
2019001464.tif 000012
【手続補正書】
【提出日】平成30年10月15日(2018.10.15)
【手続補正１】
【補正対象書類名】特許請求の範囲
【補正対象項目名】全文
【補正方法】変更
【補正の内容】
【特許請求の範囲】
【請求項１】
背もたれ部となるシートバックと、該シートバックに連結され、着座部となるシートクッションと、を有するシート本体を備え、
乗員が着座可能な使用状態と、前記シート本体を前記使用状態から移動させた移動状態との間で切り替え可能な車両用シートであって、
車体フロア側に設けられる支持ベースと、
該支持ベースを上方から覆うベースカバーと、を備え、
前記支持ベースは、シート側方に配置される左右のサイドベース部と、該左右のサイドベース部の前方部分を連結する第１ベース連結部と、を有し、
前記ベースカバーにおいて前記第１ベース連結部よりもシート後方に位置する部分には、前記ベースカバーの上面から下方側に向かって窪んだ凹部が形成され、
前記ベースカバーのうち、前記第１ベース連結部を上方から覆っている部分が、前記凹部よりも上下方向の厚さが大きい肉厚部分となっていることを特徴とする車両用シート。
【請求項２】
前記肉厚部分は、前記ベースカバーの裏面において前記第１ベース連結部側に向かって突出する補強リブとして形成され、
前記肉厚部分は、上下方向において前記第１ベース連結部に当接していることを特徴とする請求項１に記載の車両用シート。
【請求項３】
前記ベースカバーにおいて前記第１ベース連結部よりもシート前方に位置する部分には、シート前方に下方傾斜している傾斜部分が形成され、
前記肉厚部分は、前記傾斜部分の前端よりも上方に位置していることを特徴とする請求項１又は２に記載の車両用シート。
【請求項４】
前記ベースカバーにおいて前記凹部よりもシート後方に位置する部分には、前記肉厚部分よりも上方側に突出する規制部が形成され、
該規制部は、前記凹部よりも上下方向の厚さが大きいことを特徴とする請求項３に記載の車両用シート。
【請求項５】
前記肉厚部分及び前記第１ベース連結部と、前記左右のサイドベース部とが、シート幅方向で重なる位置に配置されていることを特徴とする請求項３又は４に記載の車両用シート。
【請求項６】
車体フロアに対して取り付けられ、シート前後方向に延びる左右のロアレールと、該ロアレールに沿って摺動可能に支持される左右のアッパレールと、を備え、
前記第１ベース連結部と、前記サイドベース部の前端部と、前記アッパレールの前端部とが、それぞれ前記ベースカバーの前記傾斜部分よりもシート後方位置に配置され、かつ、それぞれ前記傾斜部分よりも上方位置に配置されていることを特徴とする請求項３乃至５のいずれか１項に記載の車両用シート。
【請求項７】
前記ベースカバーの前記凹部は、前記肉厚部分と前記第１ベース連結部とが当接している部分よりも下方位置まで窪むように形成されていることを特徴とする請求項３乃至６のいずれか１項に記載の車両用シート。
【請求項８】
前記凹部は、前記第１ベース連結部よりも下方位置まで窪むように形成され、
前記ベースカバーの前記傾斜部分は、前記第１ベース連結部よりも下方位置まで下方傾斜していることを特徴とする請求項３乃至７のいずれか１項に記載の車両用シート。
【請求項９】
前記傾斜部分は、前記肉厚部分からシート前方に下方傾斜していることを特徴とする請求項３乃至８のいずれか１項に記載の車両用シート。
【請求項１０】
前記ベースカバーにおいて前記凹部よりもシート前方部分には、前記シート本体を前記使用状態と前記移動状態との間で切り替えるときに、前記シートクッションの一部と当接可能なベース当接部が形成され、
該ベース当接部の裏面には、前記支持ベース側に向かって突出する補強リブが形成され、
該補強リブと前記肉厚部分とがシート幅方向で重なる位置に配置されていることを特徴とする請求項１乃至９のいずれか１項に記載の車両用シート。
【手続補正２】
【補正対象書類名】明細書
【補正対象項目名】０００８
【補正方法】変更
【補正の内容】
【０００８】
本発明は、上記の課題に鑑みてなされたものであり、本発明の目的は、使用状態から切り替え操作が容易な車両用シートを提供することにある。
【手続補正３】
【補正対象書類名】明細書
【補正対象項目名】０００９
【補正方法】変更
【補正の内容】
【０００９】
前記課題は、本発明の車両用シートによれば、背もたれ部となるシートバックと、該シートバックに連結され、着座部となるシートクッションと、を有するシート本体を備え、乗員が着座可能な使用状態と、前記シート本体を前記使用状態から移動させた移動状態との間で切り替え可能な車両用シートであって、車体フロア側に設けられる支持ベースと、該支持ベースを上方から覆うベースカバーと、を備え、前記支持ベースは、シート側方に配置される左右のサイドベース部と、該左右のサイドベース部の前方部分を連結する第１ベース連結部と、を有し、前記ベースカバーにおいて前記第１ベース連結部よりもシート後方に位置する部分には、前記ベースカバーの上面から下方側に向かって窪んだ凹部が形成され、前記ベースカバーのうち、前記第１ベース連結部を上方から覆っている部分が、前記凹部よりも上下方向の厚さが大きい肉厚部分となっていること、により解決される。
【手続補正４】
【補正対象書類名】明細書
【補正対象項目名】００１０
【補正方法】変更
【補正の内容】
【００１０】
上記のように、ベースカバーのうち、第１ベース連結部を上方から覆っている部分が、凹部よりも上下方向の厚さが大きい肉厚部分となっているため、ベースカバーのうち、支持ベース（第１ベース連結部）を覆っている部分において支持剛性が向上した形状となっている。また、組み付けられたベースカバーのガタツキが抑制されるため、使用状態から切り替え操作が容易な車両用シートを実現できる。
【手続補正５】
【補正対象書類名】明細書
【補正対象項目名】００１１
【補正方法】変更
【補正の内容】
【００１１】
このとき、前記肉厚部分は、前記ベースカバーの裏面において前記第１ベース連結部側に向かって突出する補強リブとして形成され、前記肉厚部分は、上下方向において前記第１ベース連結部に当接していると良い。
【手続補正６】
【補正対象書類名】明細書
【補正対象項目名】００１２
【補正方法】変更
【補正の内容】
【００１２】
このとき、前記ベースカバーにおいて前記第１ベース連結部よりもシート前方に位置する部分には、シート前方に下方傾斜している傾斜部分が形成され、前記肉厚部分は、前記傾斜部分の前端よりも上方に位置していると良い。
【手続補正７】
【補正対象書類名】明細書
【補正対象項目名】００１３
【補正方法】変更
【補正の内容】
【００１３】
このとき、前記ベースカバーにおいて前記凹部よりもシート後方に位置する部分には、前記肉厚部分よりも上方側に突出する規制部が形成され、該規制部は、前記凹部よりも上下方向の厚さが大きいと良い。
【手続補正８】
【補正対象書類名】明細書
【補正対象項目名】００１４
【補正方法】変更
【補正の内容】
【００１４】
このとき、前記肉厚部分及び前記第１ベース連結部と、前記左右のサイドベース部とが、シート幅方向で重なる位置に配置されていると良い。
【手続補正９】
【補正対象書類名】明細書
【補正対象項目名】００１５
【補正方法】変更
【補正の内容】
【００１５】
このとき、車体フロアに対して取り付けられ、シート前後方向に延びる左右のロアレールと、該ロアレールに沿って摺動可能に支持される左右のアッパレールと、を備え、前記第１ベース連結部と、前記サイドベース部の前端部と、前記アッパレールの前端部とが、それぞれ前記ベースカバーの前記傾斜部分よりもシート後方位置に配置され、かつ、それぞれ前記傾斜部分よりも上方位置に配置されていると良い。
【手続補正１０】
【補正対象書類名】明細書
【補正対象項目名】００１６
【補正方法】変更
【補正の内容】
【００１６】
このとき、前記ベースカバーの前記凹部は、前記肉厚部分と前記第１ベース連結部とが当接している部分よりも下方位置まで窪むように形成されていると良い。
【手続補正１１】
【補正対象書類名】明細書
【補正対象項目名】００１７
【補正方法】変更
【補正の内容】
【００１７】
このとき、前記凹部は、前記第１ベース連結部よりも下方位置まで窪むように形成され、前記ベースカバーの前記傾斜部分は、前記第１ベース連結部よりも下方位置まで下方傾斜していると良い。
【手続補正１２】
【補正対象書類名】明細書
【補正対象項目名】００１８
【補正方法】変更
【補正の内容】
【００１８】
このとき、前記傾斜部分は、前記肉厚部分からシート前方に下方傾斜していると良い。
【手続補正１３】
【補正対象書類名】明細書
【補正対象項目名】００１９
【補正方法】変更
【補正の内容】
【００１９】
このとき、前記ベースカバーにおいて前記凹部よりもシート前方部分には、前記シート本体を前記使用状態と前記移動状態との間で切り替えるときに、前記シートクッションの一部と当接可能なベース当接部が形成され、該ベース当接部の裏面には、前記支持ベース側に向かって突出する補強リブが形成され、該補強リブと前記肉厚部分とがシート幅方向で重なる位置に配置されていると良い。
【手続補正１４】
【補正対象書類名】明細書
【補正対象項目名】００２０
【補正方法】削除
【補正の内容】
【手続補正１５】
【補正対象書類名】明細書
【補正対象項目名】００２１
【補正方法】削除
【補正の内容】
【手続補正１６】
【補正対象書類名】明細書
【補正対象項目名】００２２
【補正方法】削除
【補正の内容】
【手続補正１７】
【補正対象書類名】明細書
【補正対象項目名】００２３
【補正方法】変更
【補正の内容】
【００２３】
本発明によれば、既存の構成部品となるベースカバーを利用して、使用状態から切り替え操作が容易な車両用シートを実現できる。
【手続補正１８】
【補正対象書類名】明細書
【補正対象項目名】００２４
【補正方法】削除
【補正の内容】
【手続補正１９】
【補正対象書類名】明細書
【補正対象項目名】００２５
【補正方法】削除
【補正の内容】
【手続補正２０】
【補正対象書類名】明細書
【補正対象項目名】００２６
【補正方法】削除
【補正の内容】
【手続補正２１】
【補正対象書類名】明細書
【補正対象項目名】００２７
【補正方法】削除
【補正の内容】
【手続補正２２】
【補正対象書類名】明細書
【補正対象項目名】００７４
【補正方法】変更
【補正の内容】
【００７４】
Ｓ  車両用シート
１  シートバック
１ａ、２ａ、３ａ  クッションパッド
１ｂ、２ｂ、３ｂ  表皮
２  シートクッション
３  ヘッドレスト
４  レール装置
４ａ  ロアレール
４ｂ  アッパレール
１０  バックフレーム
１１  連結ブラケット
１２  シート回動軸
１３  リクライニング装置
１４  渦巻きバネ
２０  クッションフレーム
２１  サイドフレーム
２２  前方連結パイプ
２３  中央連結パイプ
２４  パンフレーム
２５  クッション回動装置
２６  クッション回動軸
２７  渦巻きバネ
２８  脚回動装置
２８ａ  脚回動軸
２８ｂ  バネ部材
３０  着脱脚
３１  脚本体部
３２  脚連結部
４０  支持ベース
４１  サイドベース部
４１ａ  支持壁部
４１ｂ  内側壁部
４１ｃ  外側壁部
４２  第１ベース連結部
４３  第２ベース連結部
４４  補強ベース部
４４ａ  連結壁部
４４ｂ  内側壁部
４４ｃ  外側壁部
４５  保持部材支持部
４５ａ  折り曲げ部
５０  脚保持部材
５１  側壁部
５２  底壁部
５２ａ  切り起こし部
５３  カール部
５４  慣性ロック装置
６０  ベースカバー
６１  前方カバー
６２  脚収容凹部（凹部）
６２ａ  前後側壁部
６２ｂ  左右側壁部
６２ｃ  底壁部
６３  脚移動規制部（規制部）
６４  ベース当接部
６５  カバー取り付け部
６６  補強リブ（肉厚部分）
６７  当接リブ
６８  後方カバー